(57)【要約】【課題】本発明は照明器具および温度検知ユニットに関し、適切に保護できる照明器具および温度検知ユニットを得ることを目的とする。【解決手段】本発明に係る照明器具は、光源と、該光源を点灯させる点灯装置と、温度を検出し、該温度に応じて決まる第１調光率と外部から指示された第２調光率とを比較し、比較結果に応じて該第１調光率と該第２調光率の何れかの調光率で該光源が点灯するように該点灯装置を制御する温度検知ユニットと、を備える。【選択図】図２
2020177846.tif 000002
【特許請求の範囲】
【請求項１】
光源と、
前記光源を点灯させる点灯装置と、
温度を検出し、前記温度に応じて決まる第１調光率と外部から指示された第２調光率とを比較し、比較結果に応じて前記第１調光率と前記第２調光率の何れかの調光率で前記光源が点灯するように前記点灯装置を制御する温度検知ユニットと、
を備えることを特徴とする照明器具。
【請求項２】
前記温度検知ユニットは、前記第１調光率と前記第２調光率のうち低い方の調光率で前記光源が点灯するように前記点灯装置を制御することを特徴とする請求項１に記載の照明器具。
【請求項３】
前記温度検知ユニットは、
前記温度を検出する感温回路と、
外部から前記第２調光率を受信する通信回路と、
前記第１調光率と前記第２調光率とを比較し、前記比較結果に応じて前記点灯装置を制御する制御回路と、
を備えることを特徴とする請求項１または２に記載の照明器具。
【請求項４】
前記温度検知ユニットは、前記温度、前記第１調光率または前記第２調光率を使用者に報知することを特徴とする請求項１から３の何れか１項に記載の照明器具。
【請求項５】
前記温度検知ユニットは、前記第１調光率で前記光源が点灯するように前記点灯装置を制御する場合に、前記第１調光率または前記温度を使用者に報知することを特徴とする請求項４に記載の照明器具。
【請求項６】
前記温度検知ユニットは、前記温度、前記第１調光率または前記第２調光率に応じて点灯または点滅する表示部を備えることを特徴とする請求項４または５に記載の照明器具。
【請求項７】
前記温度検知ユニットは、前記温度、前記第１調光率または前記第２調光率に応じて前記光源が点滅するように前記点灯装置を制御することを特徴とする請求項４から６の何れか１項に記載の照明器具。
【請求項８】
前記点灯装置は、前記光源を点滅させた後、前記温度検知ユニットから指示された前記調光率で前記光源を点灯させることを特徴とする請求項７に記載の照明器具。
【請求項９】
前記温度検知ユニットは、前記温度、前記第１調光率または前記第２調光率に応じた信号を外部に送信することを特徴とする請求項４から８の何れか１項に記載の照明器具。
【請求項１０】
前記温度検知ユニットは、前記温度に応じて決まるフェード時間を設けて、前記第１調光率と前記第２調光率の何れかの調光率で前記光源を点灯させることを特徴とする請求項１から９の何れか１項に記載の照明器具。
【請求項１１】
前記フェード時間は、前記温度が低いほど長いことを特徴とする請求項１０に記載の照明器具。
【請求項１２】
前記温度検知ユニットは、外部から前記第２調光率で前記光源を点灯させる指示を受けると、前記温度に応じて決まる待機時間の経過後に、前記第１調光率と前記第２調光率の何れかの調光率で前記光源を点灯させることを特徴とする請求項１から９の何れか１項に記載の照明器具。
【請求項１３】
前記待機時間は、前記温度が低いほど長いことを特徴とする請求項１２に記載の照明器具。
【請求項１４】
前記温度検知ユニットは、前記光源が消灯状態のとき外部から前記第２調光率で前記光源を点灯させる指示を受けると、前記光源を消灯状態に維持して前記点灯装置を起動させ、前記待機時間の経過後に、前記第１調光率と前記第２調光率の何れかの調光率で前記光源を点灯させることを特徴とする請求項１２または１３に記載の照明器具。
【請求項１５】
温度を検出する感温回路と、
外部から第２調光率を受信する通信回路と、
前記温度に応じて決まる第１調光率と、前記第２調光率と、を比較し、比較結果に応じて前記第１調光率と前記第２調光率の何れかの調光率で光源が点灯するように外部の点灯装置を制御する制御回路と、
を備えることを特徴とする温度検知ユニット。
【請求項１６】
前記温度検知ユニットは、前記第１調光率または前記温度を使用者に報知することを特徴とする請求項１５に記載の温度検知ユニット。
【発明の詳細な説明】
【技術分野】
【０００１】
本発明は、照明器具および温度検知ユニットに関する。
【背景技術】
【０００２】
特許文献１には、交流電源電圧を直流電圧に変換する整流回路と、直流電圧を変換してＬＥＤ負荷に給電するＤＣ−ＤＣ変換回路とを備えるＬＥＤ点灯装置が開示されている。このＬＥＤ点灯装置は、さらに感温回路を備える。感温回路は、周囲温度が高温であるときに、ＤＣ−ＤＣ変換回路の電流設定値を減少させる。
【先行技術文献】
【特許文献】
【０００３】
【特許文献１】特許第５５２６０９５号公報
【発明の概要】
【発明が解決しようとする課題】
【０００４】
特許文献１のように、温度に対して保護機能を有する照明器具が、さらに外部との通信機能を有する場合、外部からの指令と保護回路の判定結果が食い違うおそれがある。この場合、適切な保護動作が実施されず、照明器具が故障する可能性がある。
【０００５】
本発明は、上述の課題を解決するためになされたもので、適切に保護できる照明器具および温度検知ユニットを得ることを目的とする。
【課題を解決するための手段】
【０００６】
本発明に係る照明器具は、光源と、該光源を点灯させる点灯装置と、温度を検出し、該温度に応じて決まる第１調光率と外部から指示された第２調光率とを比較し、比較結果に応じて該第１調光率と該第２調光率の何れかの調光率で該光源が点灯するように該点灯装置を制御する温度検知ユニットと、を備える。
【０００７】
本発明に係る温度検知ユニットは、温度を検出する感温回路と、外部から第２調光率を受信する通信回路と、該温度に応じて決まる第１調光率と、該第２調光率と、を比較し、該比較結果に応じて該第１調光率と該第２調光率の何れかの調光率で光源が点灯するように外部の点灯装置を制御する制御回路と、を備える。
【発明の効果】
【０００８】
本発明に係る照明器具および温度検知ユニットでは、温度に応じて決まる第１調光率と外部から指示された第２調光率とを比較し、比較結果に応じて第１調光率と第２調光率の何れかの調光率で光源が点灯するように点灯装置を制御する。従って、照明器具を適切に保護できる。
【図面の簡単な説明】
【０００９】
【図１】実施の形態１に係る照明器具の斜視図である。
【図２】実施の形態１に係る照明器具の構成を示す図である。
【図３】実施の形態１に係る点灯装置の構成を示す図である。
【図４】実施の形態１に係る温度検知ユニットの動作を説明する図である。
【図５】実施の形態１に係る制御パラメータの対応関係を説明する図である。
【図６】実施の形態２に係る温度検知ユニットの動作を説明する図である。
【図７】実施の形態３に係る温度検知ユニットの動作を説明する図である。
【図８】実施の形態４に係る制御パラメータの対応関係を説明する図である。
【発明を実施するための形態】
【００１０】
本発明の実施の形態に係る照明器具および温度検知ユニットについて図面を参照して説明する。同じ又は対応する構成要素には同じ符号を付し、説明の繰り返しを省略する場合がある。
【００１１】
実施の形態１．
図１は、実施の形態１に係る照明器具１の斜視図である。照明器具１は、光源２、温度検知ユニット３および点灯装置４を備える。光源２はＬＥＤなどの発光素子である。点灯装置４は、光源２に供給する電力を制御し、光源２を点灯させる。温度検知ユニット３は、周囲温度を検出し、検出結果に基づき点灯装置４を点灯制御する。光源２、温度検知ユニット３および点灯装置４間は配線またはコネクタ等で接続される。
【００１２】
図２は、実施の形態１に係る照明器具１の構成を示す図である。点灯装置４は外部電源５に接続される。点灯装置４は外部電源５からの入力電圧を、光源２を点灯させる電力に変換し、光源２へ供給する。点灯装置４は、入力電圧を目標とする光出力が得られるような直流電圧または直流電流に変換する。点灯装置４では、ダイオード、トランジスタなどの半導体素子と、インダクタ、コイル、抵抗などの受動部品とがプリント基板上に実装されている。
【００１３】
温度検知ユニット３は、感温回路６、通信回路７、制御回路８および表示部９を備える。感温回路６は温度を検出する。感温回路６には温度によって抵抗値が変化するサーミスタ等が用いられる。制御回路８はサーミスタの抵抗値を読み取ることで周囲温度を検出する。感温回路６が検出する温度は、感温回路６または温度検知ユニット３の周囲温度である。図１に示されるように、温度検知ユニット３は照明器具１の本体１ａの側面に取り付けられる。感温回路６は、本体１ａの周囲温度または本体１ａの側面の温度を検出しても良い。
【００１４】
また、温度検知ユニット３が取り付けられる位置は、図１に示される位置に限らない。温度検知ユニット３は、光源２または点灯装置４の側面に取り付けられても良い。また、感温回路６は、点灯装置４の周囲温度または点灯装置４の内部温度を検出しても良い。また、感温回路６は、光源２の周囲温度、光源２の温度、またはＬＥＤ素子が実装されるＬＥＤ基板の温度を検出しても良い。
【００１５】
制御回路８は、感温回路６の検出温度または外部機器１０からの指示に応じて点灯装置４を制御する。制御回路８は、マイコンであっても良い。制御回路８は、例えば不揮発性メモリである記憶部を有する。制御回路８は、感温回路６が検出する検出温度と、後述する第１調光率との対応関係を記憶部に記憶している。
【００１６】
通信回路７は外部機器１０と有線または無線で通信する。外部機器１０と通信回路７との間で送受信されるデータは、照明器具１の調光率、周囲温度、保護情報等である。通信回路７は、外部機器１０から第２調光率を受信する。
【００１７】
ここで、外部機器１０は例えばリモコンである。また、照明器具１の外部に制御システムが構築される場合、外部機器１０は制御システムが有する照明コントローラまたはパソコン等であっても良い。
【００１８】
表示部９はＬＥＤなどの発光素子を有する。表示部９は、制御回路８からの信号に応じて点灯または点滅する。これにより、情報をユーザーに通知することができる。なお、表示部９は発光素子以外であっても良い。
【００１９】
制御回路８は、記憶部に格納された検出温度と第１調光率との対応関係を参照し、検出温度に対応する第１調光率を読み出す。このように、第１調光率は、検出温度に応じて決まる調光率である。制御回路８は、第１調光率と第２調光率とを比較し、比較結果に応じて点灯装置４に制御信号を送信し、制御する。また、制御回路８は、比較結果に応じて表示部９へ制御信号を送信し、表示部９を点灯または点滅させる。
【００２０】
図３は、実施の形態１に係る点灯装置４の構成を示す図である。点灯装置４はスイッチング回路などで構成される。点灯装置４において、外部電源５にＰＦＣ（ｐｏｗｅｒ  ｆａｃｔｏｒ  ｃｏｒｒｅｃｔｉｏｎ）回路１８が接続される。
【００２１】
ＰＦＣ回路１８の高電位側の出力には、スイッチング素子１５のドレインと、制御電源回路１７が接続される。スイッチング素子１５は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子１５のソースには、ダイオードのカソードとインダクタの一端が接続される。ダイオードのアノードは、ＰＦＣ回路１８の低電位側の出力と光源２を繋ぐ線路に接続される。インダクタの他端は光源２に接続される。スイッチング素子１５、ダイオードおよびインダクタは、例えばバックコンバータ回路を構成する。スイッチング素子１５がオンオフすることで、ＰＦＣ回路１８の出力電圧から光源２に供給される定電流が生成される。
【００２２】
スイッチング素子１５のゲートは制御回路１６に接続される。制御回路１６は例えばマイコンである。点灯装置４では、制御回路１６がスイッチング素子１５のオンオフを制御することで、光源２に供給する電力を制御している。
【００２３】
制御電源回路１７は、ＰＦＣ回路１８の出力電圧である直流高電圧から制御回路１６の制御電源を生成する。制御回路１６は、制御電源が供給されることにより起動、動作する。一般に、制御電源はスイッチング回路内で使用される。本実施の形態では、制御電源は、温度検知ユニット３に供給され、温度検知ユニット３を動作させる動作電源となる。また、制御電源は制御回路８の制御電源となる。これにより、温度検知ユニット３専用の電源が不要となる。従って、温度検知ユニット３を小型化および軽量化できる。また、温度検知ユニット３内部の電源回路を削減できるため、温度検知ユニット３の大型化を抑制しつつ、温度検知ユニット３にさまざまな機能を搭載できる。本実施の形態では、温度検知ユニット３に通信機能および表示機能を搭載している。
【００２４】
図４は、実施の形態１に係る温度検知ユニット３の動作を説明する図である。外部機器１０には、ユーザーが設定した外部機器調光指令値８１が入力される。外部機器調光指令値８１は、第２調光率に該当し、例えば調光率１００％である。外部機器１０は、外部機器調光指令値８１を通信回路７に送信する。通信回路７は、外部機器調光指令値８１を読み込み、制御回路８へ送信する。
【００２５】
感温回路６は、検出温度８２を検出する。検出温度８２は例えば８０℃である。感温回路６は、検出温度８２を制御回路８へ送信する。制御回路８は回路内部にて検出温度８２を調光指令値に変換する。８０℃に対応する調光指令値は例えば２０％である。この調光指令値は第１調光率に該当する。
【００２６】
制御回路８は、第１調光率と第２調光率を比較し、調光指令値の低いほうを優先して点灯装置４へ調光指令値８３を送信する。ここでは、第１調光率である２０％の調光指令値８３が送信される。このように、制御回路８は、第１調光率と第２調光率のうち、低い方の調光率で光源２が点灯するように点灯装置４を制御する。
【００２７】
また、制御回路８は、第１調光率を点滅回数指令値８４に変換し、表示部９に送信する。点滅回数指令値８４は、表示部９の点滅回数を示す値である。点滅回数は例えば３回である。制御回路８は、第１調光率と第２調光率を比較し、第１調光率と第２調光率のうち低い方の調光率に対応する回数だけ、表示部９に点滅を指示する。
【００２８】
点灯装置４は調光指令値８３を受けて、光源２の光出力を２０％で点灯させる。また、表示部９は、点滅回数指令値８４を受けて、制御回路８から指示された回数だけ点滅する。これにより、表示部９は、ユーザーに光源２の制御状態を通知する。
【００２９】
以上の動作は、例えば通信回路７が外部機器１０から第２調光率を受信したことをトリガとして、発生しても良い。これにより、ユーザーが外部機器１０から第２調光率を入力すると、制御状態に応じて表示部９が点滅する。従って、ユーザーは、第１調光率と第２調光率の何れが反映されたかを確認できる。なお、第２調光率を受信する前の状態は、消灯状態であっても点灯状態であっても良い。
【００３０】
図５は、実施の形態１に係る制御パラメータの対応関係を説明する図である。制御回路８において、感温回路６の検出温度と、感温回路６からの指令値が紐付けられている。感温回路６からの指令値は、第１調光率と表示部９の点滅回数指令値とを含む。周囲温度が高いほど、第１調光率は低くなる。また、点滅回数指令値は、第１調光率毎に異なる値が割り当てられる。
【００３１】
図５では、外部機器１０からの第２調光率が６０％である場合の制御回路８からの調光指令値が示されている。制御回路８からの調光指令値は、第１調光率と第２調光率のうち低い方である。このため、第１調光率が６０％よりも大きい場合、制御回路８からの調光指令値は、第２調光率である６０％となる。また、第１調光率が６０％よりも小さい場合、制御回路８からの調光指令値は、第１調光率となる。
【００３２】
図５の例では、制御回路８が外部機器１０からの第２調光率で光源２を点灯させる場合、表示部９の点滅回数は０回である。また、制御回路８が検出温度で決まる第１調光率で光源２を点灯させる場合、表示部９の点滅回数は第１調光率に対応する回数となる。このように、温度検知ユニット３は、第１調光率で光源２が点灯するように点灯装置４を制御する場合に、第１調光率または検出温度を使用者に報知する。これにより、ユーザーが指示した第２調光率以外の調光率で光源２が制御されていることを、ユーザーに報知できる。
【００３３】
これに限らず、表示部９は、検出温度、第１調光率または第２調光率に応じて点灯または点滅すれば良い。例えば、制御回路８は、第２調光率で点灯装置４を制御する場合は、第２調光率に応じた回数だけ表示部９を点滅させても良い。また、制御回路８は、点灯装置４の制御に用いられる調光率に応じた回数だけ表示部９を点滅させても良い。また、制御回路８は、第１調光率と第２調光率の大小によらず、検出温度に応じた回数だけ表示部９を点滅させても良い。また、制御回路８は、検出温度、第１調光率または第２調光率に応じた色で、表示部９を点灯させても良い。以上から、検出温度、第１調光率または第２調光率を使用者に報知できる。
【００３４】
また、制御回路８は、検出温度に応じて第１調光率で点灯装置４を制御することのみを使用者に報知しても良い。このとき、第１調光率または検出温度によって、表示部９の色または点滅回数を変更しなくても良い。この場合も、表示部９の点灯または点滅により、ユーザーが指示した第２調光率以外の調光率で光源２が制御されていることを、ユーザーに報知できる。
【００３５】
また、表示部９はＬＥＤに限らず、モニターを有しても良い。これにより、直接、第１調光率、第２調光率または検出温度等の情報をモニターに表示できる。なお、図５のテーブルは一例であり、自由に設定できる。
【００３６】
次に、本実施の形態の効果について説明する。ＬＥＤ素子は発光する際に発熱を伴う。また、点灯装置４においても、一般に供給する電力の大きさに比例して発熱が大きくなる。一般に照明器具において、周囲温度または光源、点灯装置の温度に関わらず、常に一定の光出力となるよう光源が制御されることがある。このとき、なんらかの要因によって光源または点灯装置の温度が上昇した場合、ＬＥＤ素子または点灯装置の効率が低下するおそれがある。また、ＬＥＤ素子または点灯装置が短寿命となり、故障に至る可能性がある。
【００３７】
さらに、温度に対して保護機能を有する照明器具が、外部との通信機能を有する場合、外部からの指令と保護回路の判定結果が食い違うおそれがある。この場合、適切な保護動作が実施されず、照明器具が故障する可能性がある。
【００３８】
これに対し、本実施の形態の温度検知ユニット３は、第１調光率と第２調光率の比較結果に応じて、低い方の調光率で光源２が点灯するように点灯装置４を制御する。これにより、確実に検出温度で決まる第１調光率以下の調光率で光源２を点灯させることができる。このため、高温時に光源２の調光率を低く設定し、照明器具１の温度上昇を抑制できる。従って、照明器具１の安全性を確保できる。
【００３９】
また、第１調光率よりも外部から指示された第２調光率が低いときは、第２調光率で光源２が点灯する。従って、通信による調光機能と温度保護機能を両立し、照明器具１を適切に保護できる。
【００４０】
また、本実施の形態では表示部９により、保護機能が正常に動作していることをユーザーが把握できる。また、表示部９により、照明器具１の現在の動作モードをユーザーが視覚的に把握できる。これにより、ユーザーは、照明器具１が高温であることを把握でき、照明器具１の安全性をさらに向上できる。なお、表示部９によるユーザーへの通知機能は、必要に応じて設けなくても良い。
【００４１】
また、本実施の形態では、温度上昇の抑制のため、第１調光率と第２調光率のうち低い方の調光率で光源２が制御される。この変形例として、例えば氷点下等の低温時においては、温度検知ユニット３は第１調光率と第２調光率のうち高い方の調光率で光源２を制御しても良い。低温時に調光率を高く維持することで、照明器具１の温度低下を抑制できる。これにより、例えば照明器具１の凍結を防止できる。
【００４２】
制御回路８は、感温回路６の検出温度に応じて、高い調光率と低い調光率のどちらを優先するかを決定しても良い。制御回路８、検出温度が閾値よりも高い場合に、低い方の調光率を優先させても良い。このように、温度検知ユニット３は、第１調光率と第２調光率の比較結果に応じて、第１調光率と該第２調光率の何れかの調光率で光源２が点灯するように点灯装置４を制御すれば良い。
【００４３】
これらの変形は、以下の実施の形態に係る照明器具および温度検知ユニットについて適宜応用することができる。なお、以下の実施の形態に係る照明器具および温度検知ユニットについては実施の形態１との共通点が多いので、実施の形態１との相違点を中心に説明する。
【００４４】
実施の形態２．
図６は、実施の形態２に係る温度検知ユニット３の動作を説明する図である。本実施の形態の温度検知ユニット３は、表示部９に代えて、検出温度、第１調光率または第２調光率に応じて、光源２を点滅させる。
【００４５】
制御回路８が第１調光率と第２調光率を比較するまでの動作は、実施の形態１と同様である。制御回路８は、第１調光率と第２調光率のうち低い方の調光指令値８３を点灯装置４に送信する。また、制御回路８は、低い方の調光率である第１調光率を点滅回数指令値８４に変換し、点灯装置４に送信する。制御回路８は、第１調光率と第２調光率を比較し、第１調光率と第２調光率のうち低い方の調光率に対応する回数だけ、点灯装置４に光源２の点滅を指示する。
【００４６】
点灯装置４は、点滅回数指令値８４に応じて光源２を点滅させた後、温度検知ユニット３から指示された調光指令値８３で光源２を点灯させる。
【００４７】
本実施の形態では、表示部９を設けなくてもユーザーに光源２の制御状態を通知できる。従って、照明器具１の構成を簡易にできる。
【００４８】
実施の形態３．
図７は、実施の形態３に係る温度検知ユニット３の動作を説明する図である。本実施の形態の温度検知ユニット３は、検出温度、第１調光率または第２調光率に応じた信号を外部に送信する点が実施の形態１、２と異なる。
【００４９】
制御回路８が第１調光率と第２調光率を比較するまでの動作は、実施の形態１、２と同様である。制御回路８は、第１調光率と第２調光率のうち低い方の調光指令値８３を点灯装置４に送信する。これにより、点灯装置４は調光指令値８３に応じて光源２の光出力を制御する。また、制御回路８は、調光指令値８３を通信回路７に送信する。通信回路７は、調光指令値８３を外部機器１０に対応した信号に変換して、外部機器１０に出力する。
【００５０】
外部機器１０は液晶画面等の表示部を有する。温度検知ユニット３から受信したデータは、表示部に表示される。ユーザーは外部機器１０の表示部を確認することで、照明器具１の状態を把握できる。
【００５１】
このように本実施の形態では、表示部９を設けなくてもユーザーに光源２の制御状態を通知できる。従って、照明器具１の構成を簡易にできる。また、光源２の点滅も必要ないため、点灯装置４の制御を容易にできる。
【００５２】
通信回路７から外部へ出力するデータは、調光指令値８３に限らない。外部へ出力するデータは、周囲温度の情報または制御の状態などでもよい。
【００５３】
図５に示される通信データは、通信回路７から外部機器１０に送信されるデータの一例である。ここでは、検出温度に応じて決まる４桁の通信データが通信回路７から送信される。これにより、ユーザーは検出温度を把握できる。
【００５４】
実施の形態４．
図８は、実施の形態４に係る制御パラメータの対応関係を説明する図である。温度検知ユニット３は、検出温度に応じて決まるフェード時間を設けて、第１調光率と第２調光率の何れかの調光率で光源２を点灯させる。フェード時間は、光源２に電力供給を開始してから目標の光出力に到達するまでの時間である。
【００５５】
本実施の形態では、制御回路８は点灯装置４に対して、調光指令値８３とともにフェード時間を送信する。点灯装置４は、フェード時間だけかけて、光源２の調光率を現在の値から調光指令値８３まで変化させる。
【００５６】
図８の例においてフェード時間は、検出温度が０°より低いとき５秒であり、０°以上のとき１秒である。このように、フェード時間は、温度が低いほど長く設定される。図８のテーブルは一例であり、自由に設定ができる。
【００５７】
一般に−４０℃等の低温時において、起動特性によっては点灯装置を急峻に起動させると故障する恐れがある。このため、起動フェード時間を設定することで、点灯装置４を安定して起動させることができる。また、低温時においても照明器具１を保護できる。また、高温時にフェード時間を短く設定すると、照明器具１の故障を抑制しつつ、高温時には迅速に点灯させることができる。
【００５８】
また、フェード時間を設けた制御は、定常点灯時に調光率を変化させる場合に行わせても良く、消灯状態からの起動時に行われても良い。
【００５９】
本実施の形態の変形例として、制御パラメータとして点灯装置４に電力供給を開始してから、光源２が点灯するまでの待機時間が設定されても良い。待機時間は、検出温度に応じて決まる。待機時間は、例えば検出温度が低いほど長く設定される。
【００６０】
制御回路８は外部から第２調光率で光源２を点灯させる指示を受けると、検出温度で決まる第１調光率と、第２調光率とを比較する。このとき、点灯装置４は停止状態であり、光源２は消灯状態である。停止状態は、例えばＰＦＣ回路１８、バックコンバータ回路に電流が流れていない状態である。停止状態において制御回路１６のみが動作していても良い。
【００６１】
制御回路８は、点灯装置４に対して、第１調光率と第２調光率の何れかの調光率である調光指令値８３と、待機時間とを送信する。これにより、点灯装置４は、光源２を消灯状態に維持して起動する。点灯装置４は、待機時間の経過後に、調光指令値８３に応じた調光率で光源２を点灯させる。
【００６２】
このように、温度検知ユニット３は、比較結果に応じて、待機時間の経過後に第１調光率と第２調光率の何れかの調光率で光源２が点灯するように、点灯装置４を制御する。これにより、光源２が点灯するまでの待機時間中は光源２に電力が供給されず、点灯装置４のみに電流が流れる。従って、電流を十分に安定させてから光源２を制御することで、点灯装置４を安全に起動させることができる。
【００６３】
各実施の形態で説明した技術的特徴は適宜に組み合わせて用いてもよい。
【符号の説明】
【００６４】
１  照明器具、１ａ  本体、２  光源、３  温度検知ユニット、４  点灯装置、５  外部電源、６  感温回路、７  通信回路、８  制御回路、９  表示部、１０  外部機器、１５  スイッチング素子、１６  制御回路、１７  制御電源回路、１８  ＰＦＣ回路、８１  外部機器調光指令値、８２  検出温度、８３  調光指令値、８４  点滅回数指令値
【図１】
2020177846.tif 000003
【図２】
2020177846.tif 000004
【図３】
2020177846.tif 000005
【図４】
2020177846.tif 000006
【図５】
2020177846.tif 000007
【図６】
2020177846.tif 000008
【図７】
2020177846.tif 000009
【図８】
2020177846.tif 000010